(57)【要約】【課題】この発明は、スケートブレードのトウピックの先端の直前部分から滑走面全体に、各メーカー別のスケートブレードの種類に対応した溝を入れることができるようにするとともに、個人の希望に応じた溝を入れることができるようにする。【解決手段】スケートブレード研磨装置の台座１を設け、長方形の凸状を有する下部基体２を設け、長方形の凹状３を有する中部基体４を設け、かつ、下部基体２と中部基体４の両端の接触面に調節ネジ５とスプリング６を取り付け、上部基体８と中部基体４の両端の接触面にネジ型ノブ９とスプリング６を取り付られた上部基体８を有し、かつ、研摩石１０を移動させる基体１４を設け、かつ、研摩石１０を斜角度１７に取り付け、ベアリング１２を取り付けスケートブレードの滑走面２５に対しての研摩石１０を垂直方向に回転させ、研摩石１０を水平方向に移動させて研摩する。【選択図】図１
2004042238.tif 000002
【特許請求の範囲】
【請求項１】
スケートブレードの滑走面に対しての研摩石を垂直方向に回転させ、研摩石を水平方向に移動させて研摩することを特徴とするスケートブレード研磨装置。
【請求項２】
スケートブレード研磨装置の台座上に設けられた、上中下の三つの部分から構成されるスケートブレードの固定基体において、長方形の凸状を有する下部基体を有し、かつ、中部基体は長方形の凸状を有し、かつ、両端の接触面に調節ネジとスプリングを設け、かつ、上部基体と中部基体の両端の接触面にネジ型ノブとスプリングを取り付けられた上部基体を有し、かつ、研摩石を傾斜角に取り付け、ベアリングを取り付けられた研摩石を移動させる基体を設けたことを特徴とする請求項１のスケートブレード研磨装置。
【発明の詳細な説明】
【０００１】
【発明の属する技術分野】
この発明は、スケートブレードの滑走面に対して研摩石を垂直方向に回転させて研摩する事により、スケートブレードのトウピックの先端の直前部分から端まで、全体に均一に溝を入れる事ができる。しかも研摩石の大きさを変えて、各メーカー別のスケートブレードの種類に対応した溝を入れることができる。また、個人の希望に応じた溝を入れることもできる。また、中部基体の両端のネジを上下させる事により、スケートブレードの滑走面の全体の外側と内側の高さを調節して、狂いのない精度の高い研摩ができるスケートブレード研磨装置に関するものである。
【０００２】
【従来の技術】
従来の研磨装置図１０はスケートブレードの滑走面２５に対して、円盤型の研摩石２０を水平方向に回転させる構造であるため、モーター２７に円盤型の研摩石２０の大きさを変えて研摩することに限界があった。また、スケートブレードの滑走面２５に対して、円盤型の研摩石の側面を利用してスケートブレードを移動装置図１１や図１２に取り付けて水平方向に移動しながら研摩するため、スケートブレードのトウピックの直前部分２１が研摩できなかった。また、円盤型の研摩石２０の側面２６のカーブの調整が困難で、研摩するときに円盤型の研摩石２０に対して力の入れ具合が大変難しく、場合によってはスケートブレードの生命といわれるトウピックの先端１６を破損してしまう危険性が大きかった。また、従来型スケートブレードを移動装置図１１や図１２に取り付けて研摩をすることと、いずれも中位調節装置３０が不安定で、かつ、全体の前後の外側と内側の高さの調節する装置３１が不十分であるため、正確で均一な溝をいれることが容易にできないという欠点があった。
【０００３】
【発明が解決しようとする課題】
したがって、各メーカーとも、スケートブレード研磨装置を莫大な時間と研究費と試作費をついやして研究したが、解決しなかった。本発明は、こうした使用者の強い要望にこたえるために発明されたものである。従来の研磨装置はスケートブレードの滑走面に対して、円盤型の研摩石を固定して水平方向に回転させ、かつ、スケートブレードの移動装置を研摩石に対して水平方向に移動しながら研摩するため、円盤型の研摩石の大きさを変える事に限界があってスケートブレードのトウピックの直前部分が研摩できなかった。また、研摩石の側面のカーブの調整が困難で、均一で正確な溝を入れる事ができなかった。また、スケートブレードの滑走面の全体の外側と内側の高さを調節して研摩する事が容易にできないという欠点があった。これらに代わり、スケートブレードの滑走面の全体の外側と内側の高さを簡単に調節して、狂いのない精度の高い研摩ができるスケートブレード研磨装置が望まれていた。
【０００４】
【課題を解決するための手段】
いまその解決手段を図面に追いながら説明すれば、
（イ）スケートブレード研磨装置の台座を設ける。
（ロ）長方形の凸状を有する下部基体を設ける。
（ハ）長方形の凹型を有する中部基体を設け、両端の接触面に調節ネジとスプリング設ける。
（ニ）スケートブレードを固定する上部基体を設け、上部基体と中部基体の両端の接触面にネジ型ノブとスプリングを設ける。
（ホ）研摩石を傾斜角に取り付け、ベアリングを取り付けられた研摩石を移動させる基体を設ける。
以上のように装置するスケートブレードの滑走面に対しての研摩石を垂直方向に回転させ、研摩石を水平方向に移動させて研摩することを特徴とするスケートブレード研磨装置。
【０００５】
【発明の実施の形態】
本発明は、以上のような構造であるから、これを使用するときは、上部基体８と中部基体４にスケートブレードを固定して中部基体４の両端のネジ５を上下させる事により、スケートブレードの滑走面２５の全体の外側と内側を容易に調節して研摩できる。また、研摩石１０を水平方向に移動しながら、滑走面２５に対して垂直に回転させて研摩する事により、若干の練習によって力を使わず簡単で正確な研摩をすることができる。
【０００６】
【発明の効果】
以上のように本発明に係るスケートブレード研磨装置は、研摩石の外面を利用して、スケートブレードの滑走面に対して垂直に回転させて、かつ、研摩石を傾斜角であてることで、スケートブレードのトウピックの先端の湾曲部分から滑走面全体に正確で均一な溝を入れる事ができる。かつ、研摩石を変える事により、各メーカー別のスケートブレードの種類に対応した溝を入れることができる。かつ、個人の希望に応じた溝を入れることもできるより精度の高いスケートブレード研磨装置である。
【図面の簡単な説明】
【図１】本発明のスケートブレード研磨装置の構造図。
【図２】本発明のスケートブレード下部基体部分図。
【図３】本発明のスケートブレード中部基体部分図。
【図４】本発明のスケートブレード上部基体部分図。
【図５】本発明の研摩石移動させる基体構造図。
【図６】本発明のスケートブレード研摩側面図。
【図７】従来型のスケートブレード研摩側面図。
【図８】スケートブレード正面図。
【図９】円盤型研摩石の側面図。
【図１０】従来型Ａのスケートブレード研磨装置の基本構成図。
【図１１】従来型Ａのスケートブレード移動基体構造図。
【図１２】従来型Ｂのブレードブレード移動基体構造図。
【符号の説明】
１．台座
２．下部基体
３．凸状長方形の金具
４．中部基体
５．ネジ
６．スプリング
７．凹状長方形の溝
８．上部基体
９．ネジ型ノブ
１０．研摩石
１１．ハンドピース
１２．ベアリング
１３．研摩移動アーム
１４．研摩石を移動する基体
１５．スケートブレード
１６．トウピック先端
１７．傾斜角
１８．回転方向
１９．研摩範囲
２０．円盤型研摩石
２１．研摩できない部分
２２．スケートブレード前基体
２３．スケートブレード前主体
２４．トウピック
２５．滑走面
２６．円盤型研摩石側面
２７．モーター
２８．スケートブレード固定ネジ
２９．スケートブレード移動基体
３０．スケートブレード中位調節ネジ
３１．スケートブレード外側内側調節ネジ
３２．ローラーベアリング
【図１】
2004042238.tif 000003
【図２】
2004042238.tif 000004
【図３】
2004042238.tif 000005
【図４】
2004042238.tif 000006
【図５】
2004042238.tif 000007
【図６】
2004042238.tif 000008
【図７】
2004042238.tif 000009
【図８】
2004042238.tif 000010
【図９】
2004042238.tif 000011
【図１０】
2004042238.tif 000012
【図１１】
2004042238.tif 000013
【図１２】
2004042238.tif 000014